(57)【特許請求の範囲】
【請求項１】
音声を取得するマイク部と、
音声を利用者に伝えるレシーバ部と、
前記マイク部及び前記レシーバ部を用いた通話を外部と通信する通信部と、
カードを保持するカード保持部と、
前記カード保持部に保持されているカードの少なくとも一部を外部から観察可能にする窓部と、
使用者の身に取り付けるために利用される取り付け対応部と、
を備え、
前記通信部は、予め設定した携帯通信端末との間で通信を行い、前記マイク部及び前記レシーバ部を用いた通話を前記携帯通信端末に中継させること、
を特徴とするカードホルダ型通話装置。
【請求項２】
請求項１に記載のカードホルダ型通話装置において、
前記マイク部と前記レシーバ部との少なくとも一方には、積層圧電素子を用いていること、
を特徴とするカードホルダ型通話装置。
【請求項３】
請求項２に記載のカードホルダ型通話装置において、
前記積層圧電素子は、操作部材を兼ねること、
を特徴とするカードホルダ型通話装置。
【請求項４】
請求項１から請求項３までのいずれか１項に記載のカードホルダ型通話装置において、
前記カード保持部とは別に、他のカードを保持する第２のカード保持部を有すること、
を特徴とするカードホルダ型通話装置。
【請求項５】
請求項１から請求項４までのいずれか１項に記載のカードホルダ型通話装置において、
当該カードホルダ型通話装置に保持されるカードから電話番号を読み取る読取り部を備えること、
を特徴とするカードホルダ型通話装置。
【発明の詳細な説明】
【技術分野】
【０００１】
本発明は、カードを外部から観察可能に保持するカードホルダの機能と、通話装置の機能とを備えるカードホルダ型通話装置に関するものである。
【背景技術】
【０００２】
従来、携帯電話機は、ポケットやカバンに入れて持ち運びされることが多い。よって通話操作を行う際には、ポケットやカバンから携帯電話機を取り出す手間が必要になる。一方、自動車の運転中等に利用するハンズフリーのイヤホンマイクが商品化されている。
【０００３】
しかし、従来のイヤホンマイクは、頭部に装着するものであり、常時イヤホンマイクを頭部に装着することは不快であり負担に感じることもある。
【０００４】
また、特許文献１には、超薄型のレシーバに関する技術が開示されている。
さらに、特許文献２には、表示窓へ音声入出力する携帯電話機に関する技術が開示されている。
これら特許文献１及び特許文献２に開示されている技術によれば、装置の小型化を図ることができる。
【先行技術文献】
【特許文献】
【０００５】
【特許文献１】特開２００５−３３７４８号公報
【特許文献２】国際公開第ＷＯ２００２／０２１８８１号
【発明の概要】
【発明が解決しようとする課題】
【０００６】
しかし、特許文献１及び特許文献２に開示されている技術を用いた携帯電話機は、従来の携帯電話機と同様に、ポケットやカバンに入れて持ち運びされ、通話操作を行う際には、ポケットやカバンから携帯電話機を取り出す手間が必要である。したがって、通話時の利便性が低いという問題があった。
【０００７】
本発明の課題は、身に付けて利用しやすく、通話時の利便性が高いカードホルダ型通話装置を提供することである。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、音声を取得するマイク部（１０６）と、音声を利用者に伝えるレシーバ部（１０５）と、前記マイク部及び前記レシーバ部を用いた通話を外部と通信する通信部（１１４）と、カードを保持するカード保持部（Ｓ１）と、前記カード保持部に保持されているカードの少なくとも一部を外部から観察可能にする窓部（１０２ａ）と、使用者の身に取り付けるために利用される取り付け対応部（１３０）と、を備え、前記通信部は、予め設定した携帯通信端末（５００）との間で通信を行い、前記マイク部及び前記レシーバ部を用いた通話を前記携帯通信端末に中継させること、を特徴とするカードホルダ型通話装置（１００）を提案している。
【００１０】
この発明によれば、マイク部は、音声を取得する。レシーバ部は、音声を利用者に伝える。通信部は、マイク部及びレシーバ部を用いた通話を外部と通信する。カード保持部は、カードを保持する。窓部は、カード保持部に保持されているカードの少なくとも一部を外部から観察可能にする。通信部は、予め設定した携帯通信端末との間で通信を行い、マイク部及びレシーバ部を用いた通話を携帯通信端末に中継させる。したがって、カードホルダ型通話装置は、カードホルダの機能を有するので、ＩＤカード等を保持させて、ストラップ等を装着し利用することにより、常に身に付けることが負担とならず、通話が必要なときに利用しやすく、利便性を向上できる。また、本発明は、カードホルダ型通話装置を、より小型化、軽量化することができる。
【００１１】
（２）本発明は、（１）に記載のカードホルダ型通話装置において、前記マイク部（１０６）と前記レシーバ部（１０５）との少なくとも一方には、積層圧電素子を用いていること、を特徴とするカードホルダ型通話装置（１００）を提案している。
【００１２】
この発明によれば、マイク部と前記レシーバ部との少なくとも一方には、積層圧電素子を用いている。したがって、本発明は、カードホルダ型通話装置の部品点数の低減と、小型化、及び、軽量化を図ることができる。また、カードホルダ型通話装置は、骨伝導又は軟骨伝導を利用して、聞き取りやすさを向上できる。
【００１３】
（３）本発明は、（２）に記載のカードホルダ型通話装置において、前記積層圧電素子（１０５，１０６）は、操作部材を兼ねること、を特徴とするカードホルダ型通話装置（１００）を提案している。
【００１４】
この発明によれば、積層圧電素子は、操作部材を兼ねる。したがって、本発明は、カードホルダ型通話装置の部品点数の低減と、小型化、及び、軽量化を図りながら、操作性と利便性とを向上できる。
【００１７】
（４）本発明は、（１）から（３）までのいずれか１項に記載のカードホルダ型通話装置において、前記カード保持部（Ｓ１）とは別に、他のカードを保持する第２のカード保持部（Ｓ２）を有すること、を特徴とするカードホルダ型通話装置（１００）を提案している。
【００１８】
この発明によれば、カード保持部とは別に、他のカードを保持する第２のカード保持部を有する。したがって、カードホルダ型通話装置は、例えば、複数のカードを同時に保持させることができる。
【００１９】
（５）本発明は、（１）から（４）までのいずれか１項に記載のカードホルダ型通話装置において、当該カードホルダ型通話装置（１００）に保持されるカードから電話番号を読み取る読取り部（１０８）を備えること、を特徴とするカードホルダ型通話装置（１００）を提案している。
【００２０】
この発明によれば、読取り部は、カードホルダ型通話装置に保持されるカードから電話番号を読み取る。したがって、本発明のカードホルダ型通話装置は、発信する相手先の電話番号の入力を簡単に行える。また、本発明のカードホルダ型通話装置は、電話番号の入力に用いる操作部材を省略できるので、操作部材の数を低減できる。
【発明の効果】
【００２１】
本発明によれば、カードホルダ型通話装置は、勤務先等の場所で常に身に付けているカードホルダとして利用可能であるので、例えば、業務の通話を直ぐに開始でき、カードホルダ型通話装置を利用した通話の利便性が向上する。また、本発明のカードホルダ型通話装置は、名刺などの対応したカードを差し込むだけで、その名刺の相手に電話をかけることができるので、電話番号を入力する手間を省くことができる。
【図面の簡単な説明】
【００２２】
【図１】本発明によるカードホルダ型通話装置１００の裏面側を示す図である。
【図２】本発明によるカードホルダ型通話装置１００の表面側を示す図である。
【図３】カードホルダ型通話装置１００を図１中に矢印で示したＡ−Ａ断面を示す断面図である。
【図４】カードホルダ型通話装置１００の構成を示すブロック図である。
【図５】カードホルダ型通話装置１００の着信時の動作を説明するフローチャートである。
【図６】発信を行うときの状態を示す図である。
【図７】電話番号読み取りの動作を説明するフローチャートである。
【図８】発信処理の動作を説明するフローチャートである。
【発明を実施するための形態】
【００２３】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００２４】
（実施形態）
図１は、本発明によるカードホルダ型通話装置１００の裏面側を示す図である。
図２は、本発明によるカードホルダ型通話装置１００の表面側を示す図である。
図３は、カードホルダ型通話装置１００を図１中に矢印で示したＡ−Ａ断面を示す断面図である。
図４は、カードホルダ型通話装置１００の構成を示すブロック図である。
なお、以下の説明では、表面、裏面という文言により、カードホルダ型通話装置１００の面の方向を示すが、表、裏という表現は便宜上設定したものであり、技術的な意味を持たない。したがって、表と裏とを逆に呼んでもよい。
【００２５】
カードホルダ型通話装置１００は、中間層１０１と、表面層１０２と、裏面層１０３と、構造体１０４と、第１圧電素子１０５と、第２圧電素子１０６と、表示部１０７と、読み取り部１０８と、カード押さえ部１０９ａ，１０９ｂと、回路部１１０と、ストラップ１２０と、孔１３０とを備えている。
【００２６】
中間層１０１は、回路部１１０を有し、カードホルダ型通話装置１００の中央に位置する層である。中間層１０１は、例えば、回路部１１０を形成する硬質基板により形成してもよいし、回路部１１０を一体的に含むように形成された樹脂部材等により形成してもよい。中間層１０１は、表面層１０２と裏面層１０３とにより挟まれた位置に配置されている。
【００２７】
表面層１０２は、カードホルダ型通話装置１００の表面側を形成する層である。表面層１０２と中間層１０１との間には、後述するカードＣ１が挿入される隙間Ｓ１が形成されている。表面層１０２には、隙間Ｓ１に挿入されたカードＣ１上に記載された文字等を外部から観察可能にする窓部１０２ａが設けられている。本実施形態の窓部１０２ａは、矩形形状に開口した孔であるが、透明な樹脂板等を設けてもよい。
【００２８】
裏面層１０３は、カードホルダ型通話装置１００の裏面側を形成する層である。裏面層１０３と中間層１０１との間には、後述するカードＣ２が挿入される隙間Ｓ２が形成されている。裏面層１０３には、隙間Ｓ２に挿入されたカードＣ２上に記載された文字等を外部から観察可能にする窓部１０３ａが設けられている。本実施形態の窓部１０３ａは、矩形形状に開口した孔であるが、透明な樹脂板等を設けてもよい。
【００２９】
ここで、カードＣ１，Ｃ２について説明する。
カードＣ１としては、例えば、社員証等の各種身分証明書を用いることができる。カードＣ１は、カードホルダ型通話装置１００の利用者自身の身分証明書である。利用者は、通常は、カードＣ１を入れっぱなしの状態で、ストラップ１２０を利用してカードホルダ型通話装置１００を首からさげる等してカードホルダ型通話装置１００を利用する。
一方、カードＣ２は、カードホルダ型通話装置１００に対応した名刺、又は、電話番号カード等である。カードＣ２には、読み取り部１０８により電話番号を読み取り可能なバーコードが、所定の位置に印刷されている。名刺は、相手先から頂くものであるが、電話番号カードは、必要に応じて利用者が印刷して作成することもできる。また、本実施形態のカードホルダ型通話装置１００に対応していない従来の名刺は、例えば、電話番号を表すバーコードをラベル状の用紙等に印刷して、これを従来の名刺の一部に貼り付けられることにより、カードＣ２として用いることができる。
【００３０】
構造体１０４は、表面層１０２と裏面層１０３とに挟まれる位置に設けられており、中間層１０１と、表面層１０２と、裏面層１０３とを接続するように配置されている。すなわち、構造体は、上述した隙間Ｓ１，Ｓ２を形成するように、カードホルダ型通話装置１００の外周付近において中間層１０１と表面層１０２とを接続し、同様に、中間層１０１と裏面層１０３とを接続するように形成されている。なお、カードＣ１，Ｃ２を挿入するための挿入口Ｉ１，Ｉ２を一端に開口形成するために、挿入口Ｉ１，Ｉ２を設ける部分には、構造体１０４は存在しない。また、構造体１０４は、１つの部材により形成してもよいし、例えば、表面側と裏面側とに分けて形成する等、複数に分割形成してもよい。
【００３１】
第１圧電素子１０５は、挿入口Ｉ１，Ｉ２が設けられている端部側と対向する端部側の裏面層１０３の内面に設けられている。第１圧電素子１０５は、スピーカの振動を発生させるアクチュエータとして動作してレシーバ部を形成する。また、第１圧電素子１０５は、通話時には、骨伝導により音声を伝えることができる。第１圧電素子１０５の振動は、例えば、頭蓋骨に伝わると、頭蓋骨が振動し、その振動が骨を介して聴覚器官である蝸牛に伝わり、骨伝導による音声伝達が実現される。また、第１圧電素子１０５の振動が弱く、頭蓋骨が振動する程の振動を生じさせない場合であっても、利用者の耳近傍の耳介等の人体を音声信号に応じて振動させることができる。この振動により外耳道内に気導音を発生させる軟骨伝導を行うことができ、利用者は、この気導音を鼓膜により感知して音として認識することができる。
【００３２】
第２圧電素子１０６は、挿入口Ｉ１，Ｉ２が設けられている端部側の裏面層１０３の内面に設けられている。第２圧電素子１０６は、人の声の音声を振動として検出するマイクロフォンとして動作して、マイク部を形成する。
【００３３】
また、第１圧電素子１０５及び第２圧電素子１０６は、その素子の特性から圧力加速度を検出できるセンサとなっている。したがって、第１圧電素子１０５及び第２圧電素子１０６は、これが設けられた部分を指等で押すことによる圧力変化を検出して、操作が行われたことを検知する操作部材としての機能も有している。第１圧電素子１０５及び第２圧電素子１０６としては、例えば、圧電素子を積層したバイモルフ型振動子を用いることができる。なお、第１圧電素子１０５及び第２圧電素子１０６は、裏面層１０３の内面に両面テープなどで貼り付けられているか、筐体にモールドされて、配置されている。
【００３４】
表示部１０７は、裏面層１０３上に設けられている。表示部１０７は、着信時や発信時に電話番号等を表示したり、動作状態を表示したりして、使用者にこれらの情報を知らせる液晶表示装置等の表示パネルである。
【００３５】
読み取り部１０８は、裏面層１０３の内側（中間層に対向する側）であって、挿入口Ｉ２の近くに設けられているカード押さえ部１０９ｂの先端に設けられている。読み取り部１０８は、挿入口Ｉ２から挿入されるカードＣ２上に表記されているバーコードを読み取る光学センサである。カードＣ２と読み取り部１０８を密着させることで、外光を遮断し呼光学センサの読み取り精度を向上するとともに、カードＣ２の挿入による光量変化を引き金に、電話番号読み取り機能１１５ａを起動する。
【００３６】
カード押さえ部１０９ａ，１０９ｂは、それぞれ、隙間Ｓ１，Ｓ２に挿入されるカードＣ１，Ｃ２を押さえる部材である。カード押さえ部１０９ａ，１０９ｂは、適度な弾性を有しており、カードＣ１，Ｃ２の脱落を防止する。
上述した中間層１０１と、表面層１０２と、裏面層１０３と、構造体１０４と、カード押さえ部１０９ａ，１０９ｂとにより、カードを保持するカード保持部としての隙間Ｓ１，Ｓ２が形成される。
【００３７】
回路部１１０は、中間層１０１に一体となって内蔵されている。回路部１１０は、電源部１１１と、コネクタ部１１２と、記憶部１１３と、通信部１１４と、処理部１１５と、アンプ部１１６とを備えている。
【００３８】
電源部１１１は、充電可能な二次電池である。電源部１１１への充電は、コネクタ部１１２に不図示のＡＣアダプタ等の充電ケーブルを接続して行われる。また、電源部１１１には、充電回路も含まれている。
【００３９】
コネクタ部１１２は、電源部１１１への充電を行うときに、不図示の充電ケーブルを接続する部分である。
【００４０】
記憶部１１３は、電話番号を記憶し保持するメモリである。記憶部１１３が記憶する電話番号の件数は、最低１件でもよい。
【００４１】
通信部１１４は、通話のための伝送路を確立する。通信部１１４は、予め登録された携帯電話端末５００（図６参照）からの通話を、例えば、Bluetooth（登録商標）等の近接無線により通信して、通話を携帯電話端末５００に中継させる。通信部１１４は、通話を携帯電話端末５００に中継させることにより、近接無線のみ行えばよいので、回路部１１０をより小型化、軽量化することができる。なお、通信部１１４による通信は、近接無線の代わりに有線で携帯電話端末５００に接続してもよいし、電話機能を持たない他の携帯通信端末に接続してもよいし、携帯電話端末５００等を介さずに直接基地局等と通信を行ってもよく、通話の伝送路が確立できればよい。
【００４２】
処理部１１５は、カードホルダ型通話装置１００の各種機能が機能するように制御し、処理を行うコンピュータである。処理部１１５は、電話番号読み取り機能１１５ａと、電話番号記憶機能１１５ｂと、無線通信処理機能１１５ｃと、操作判断機能１１５ｄとを備えている。
【００４３】
電話番号読み取り機能１１５ａは、読み取り部１０８を制御してカードＣ２上に表記されたバーコードから電話番号の読み取りを行う。
【００４４】
電話番号記憶機能１１５ｂは、着信時に電話番号が無線通信処理機能１１５ｃから通知されていればその電話番号を、記憶部１１３に記憶させる。また、電話番号記憶機能１１５ｂは、電話番号読み取り機能１１５ａにより読み取った電話番号を、記憶部１１３に記憶させる。
【００４５】
無線通信処理機能１１５ｃは、通信部１１４を制御することにより通話を行う。無線通信処理機能１１５ｃは、記憶部１１３から受け取った電話番号で通信部を制御し発信を行う。また、無線通信処理機能１１５ｃは、通信部１１４から受け取った着信も同様に処理する。さらに、無線通信処理機能１１５ｃは、携帯電話端末５００とのBluetooth（登録商標）のペアリングなどの接続制御も行う。
【００４６】
操作判断機能１１５ｄは、第１圧電素子１０５及び第２圧電素子１０６の圧力加速度を検知し、使用者が操作したことを判断する。その判断結果を用いて処理部１１５は、その時に見合った制御を行う。
【００４７】
アンプ部１１６は、第１圧電素子１０５及び第２圧電素子１０６を駆動させるための増幅器である。また、アンプ部１１６は、第１圧電素子１０５及び第２圧電素子１０６で検出した信号を増幅し処理部１１５へ受け渡す。また、アンプ部１１６は、通話時に通信部１１４から受け渡される受話音を増幅し、レシーバとして動作する第１圧電素子１０５へ受け渡し、マイクとして動作する第２圧電素子１０６が集音した音を、増幅して通信部１１４へ受け渡す。
【００４８】
ストラップ１２０は、孔１３０に取り付けられており、使用者の首等にかけることができる。ストラップ１２０は、利用者の好みにより適宜交換してもよい。
孔１３０は、表面層１０２から裏面層１０３までを貫通して形成されている。この孔１３０は、カードホルダ型通話装置１００を使用者の身に付けるために利用される取り付け対応部である。
【００４９】
次に、カードホルダ型通話装置１００の動作を説明する。
図５は、カードホルダ型通話装置１００の着信時の動作を説明するフローチャートである。
着信を開始すると、ステップ（以下、Ｓとする）１０１では、処理部１１５は、着信した着呼信号に発呼者の電話番号情報が含まれているか否かを判断する。着呼信号に電話番号情報が含まれている場合には、Ｓ１０２へ進み、着呼信号に電話番号情報が含まれていない場合には、Ｓ１０３へ進む。
【００５０】
Ｓ１０２では、処理部１１５は、電話番号を記憶部１１３に記憶する。
【００５１】
Ｓ１０３では、処理部１１５は、着信通知を実施する。すなわち、処理部１１５は、第１圧電素子１０５を振動させて、着信音の発音を行う。また、処理部１１５は、表示部１０７に発呼者の電話番号を表示したり、「呼び出し中」等の表示を行ったりして、着信表示を行う。
【００５２】
Ｓ１０４では、処理部１１５は、第１圧電素子１０５及び第２圧電素子１０６の圧力変化の監視を開始する。ここでは、第１圧電素子１０５及び第２圧電素子１０６を操作部として機能させており、使用者が着信に応答するために、第１圧電素子１０５又は第２圧電素子１０６を押す操作を監視する。
【００５３】
Ｓ１０５では、処理部１１５は、呼切断されたか否かの判断を行う。呼切断された場合には、Ｓ１１２へ進み、呼切断されていない場合には、Ｓ１０６へ進む。
【００５４】
Ｓ１０６では、処理部１１５は、第１圧電素子１０５及び第２圧電素子１０６の圧力変化があるか否かを判断する。第１圧電素子１０５及び第２圧電素子１０６の圧力変化がある場合には、Ｓ１０７へ進み、第１圧電素子１０５及び第２圧電素子１０６の圧力変化がない場合には、Ｓ１０４へ戻る。
【００５５】
Ｓ１０７では、処理部１１５は、着信通話の実行を開始する。また、処理部１１５は、表示部１０７に通話中である旨の表示を行う。
【００５６】
Ｓ１０８では、処理部１１５は、Ｓ１０７における着信通話の実行開始と同時に、第１圧電素子１０５を骨伝導スピーカとして動作させ、第２圧電素子１０６をマイクとして動作させる。なお、このステップにおける着信通話や、後述する発信通話時には、骨伝導スピーカとして動作せずに、気導音を発生するスピーカのアクチュエータとして第１圧電素子１０５を動作させてもよい。
【００５７】
Ｓ１０９では、処理部１１５は、第１圧電素子１０５及び第２圧電素子１０６の圧力変化の監視を開始する。ここでは、第１圧電素子１０５及び第２圧電素子１０６を操作部として機能させており、使用者が通話を終了するために、第１圧電素子１０５又は第２圧電素子１０６を押す操作を監視する。
【００５８】
Ｓ１１０では、処理部１１５は、呼切断されたか否かの判断を行う。呼切断された場合には、Ｓ１１２へ進み、呼切断されていない場合には、Ｓ１１１へ進む。
【００５９】
Ｓ１１１では、処理部１１５は、第１圧電素子１０５及び第２圧電素子１０６の圧力変化があるか否かを判断する。第１圧電素子１０５及び第２圧電素子１０６の圧力変化がある場合には、Ｓ１１２へ進み、第１圧電素子１０５及び第２圧電素子１０６の圧力変化がない場合には、Ｓ１０９へ戻る。
【００６０】
Ｓ１１２では、処理部１１５は、終話処理を行い、着信通話を終了する。
【００６１】
図６は、発信を行うときの状態を示す図である。
カードホルダ型通話装置１００は、発信を行うときには、発信先の電話番号をカードＣ２から読み取る。この読み取りは、挿入口Ｉ２へバーコードＣ２ａが印刷されているカードＣ２を挿入すると同時に行われる。
先ず、この電話番号読み取りの動作について説明する。
【００６２】
図７は、電話番号読み取りの動作を説明するフローチャートである。
カードＣ２が挿入口Ｉ２へ挿入されると、Ｓ２０１では、処理部１１５は、バーコードＣ２ａの読み取りを実行する。なお、読み取りの開始は、読み取り部１０８によりカードＣ２の挿入の有無を検出することにより行ってもよいし、第１圧電素子１０５及び第２圧電素子１０６を一定時間以上押すこと等により行ってもよい。処理部１１５は、読み込んだバーコードから電話番号を一義的に求める。
【００６３】
Ｓ２０２では、処理部１１５は、バーコードの読み取りが成功したか否かの判断を行う。具体的には、先のステップＳ２０１で、電話番号が一義的に求まったか否かにより、成功か否かの判断を行う。バーコードの読み取りが成功した場合には、Ｓ２０３へ進み、バーコードの読み取りが失敗である場合には、Ｓ２０１へ戻る。
【００６４】
Ｓ２０３では、処理部１１５は、読み取った電話番号を記憶部１１３に記憶する。また、処理部１１５は、表示部１０７に、読み取った電話番号を表示し、電話番号の読み取り動作を終了する。
【００６５】
次に、発信処理の動作について説明する。
図８は、発信処理の動作を説明するフローチャートである。
【００６６】
Ｓ３０１では、処理部１１５は、第１圧電素子１０５及び第２圧電素子１０６の圧力変化の監視を開始する。ここでは、第１圧電素子１０５及び第２圧電素子１０６を操作部として機能させており、使用者が発信を行うために、第１圧電素子１０５又は第２圧電素子１０６を押す操作を監視する。
【００６７】
Ｓ３０２では、処理部１１５は、第１圧電素子１０５及び第２圧電素子１０６の圧力変化があるか否かを判断する。第１圧電素子１０５及び第２圧電素子１０６の圧力変化がある場合には、Ｓ３０３へ進み、第１圧電素子１０５及び第２圧電素子１０６の圧力変化がない場合には、Ｓ３０１へ戻る。
【００６８】
Ｓ３０３では、処理部１１５は、記憶部１１３から電話番号を読み込む。また、読み込んだ電話番号を表示部１０７に表示する。
【００６９】
Ｓ３０４では、処理部１１５は、第１圧電素子１０５及び第２圧電素子１０６の圧力変化の監視を開始する。ここでは、第１圧電素子１０５及び第２圧電素子１０６を操作部として機能させており、使用者が先のＳ３０３で表示されている電話番号に発信を行うために、第１圧電素子１０５又は第２圧電素子１０６を押す操作を監視する。
【００７０】
Ｓ３０５では、処理部１１５は、着信割込があるか否かを判断する。着信割込がある場合には、図５に示した着信処理を行い、着信割込がない場合には、Ｓ３０６へ進む。
【００７１】
Ｓ３０６では、処理部１１５は、第１圧電素子１０５及び第２圧電素子１０６の圧力変化があるか否かを判断する。第１圧電素子１０５及び第２圧電素子１０６の圧力変化がある場合には、Ｓ３０７へ進み、第１圧電素子１０５及び第２圧電素子１０６の圧力変化がない場合には、Ｓ３０４へ戻る。
【００７２】
Ｓ３０７では、処理部１１５は、発信通話の実行を開始する。また、処理部１１５は、表示部１０７に発信中である旨の表示を行う。
【００７３】
Ｓ３０８では、処理部１１５は、第１圧電素子１０５及び第２圧電素子１０６の圧力変化の監視を開始する。ここでは、第１圧電素子１０５及び第２圧電素子１０６を操作部として機能させており、使用者が発信相手の呼び出し中に呼び出しを取り消すために、第１圧電素子１０５又は第２圧電素子１０６を押す操作を監視する。
【００７４】
Ｓ３０９では、処理部１１５は、第１圧電素子１０５及び第２圧電素子１０６の圧力変化があるか否かを、また、呼切断されたか否かを判断する。第１圧電素子１０５及び第２圧電素子１０６の圧力変化がある場合、又は、呼切断された場合には、Ｓ３１５へ進み、第１圧電素子１０５及び第２圧電素子１０６の圧力変化がない場合、又は、呼切断されていない場合には、Ｓ３１０へ戻る。
【００７５】
Ｓ３１０では、処理部１１５は、発信相手先が応答したか否かを判断する。発信相手先が応答した場合には、Ｓ３１１へ進み、発信相手先が応答しない場合には、Ｓ３０８へ戻る。
【００７６】
Ｓ３１１では、処理部１１５は、第１圧電素子１０５を骨伝導スピーカとして動作させ、第２圧電素子１０６をマイクとして動作させる。
【００７７】
Ｓ３１２では、処理部１１５は、第１圧電素子１０５及び第２圧電素子１０６の圧力変化の監視を開始する。ここでは、第１圧電素子１０５及び第２圧電素子１０６を操作部として機能させており、使用者が通話を終了するために、第１圧電素子１０５又は第２圧電素子１０６を押す操作を監視する。
【００７８】
Ｓ３１３では、処理部１１５は、呼切断されたか否かの判断を行う。呼切断された場合には、Ｓ３１５へ進み、呼切断されていない場合には、Ｓ３１４へ進む。
【００７９】
Ｓ３１４では、処理部１１５は、第１圧電素子１０５及び第２圧電素子１０６の圧力変化があるか否かを判断する。第１圧電素子１０５及び第２圧電素子１０６の圧力変化がある場合には、Ｓ３１５へ進み、第１圧電素子１０５及び第２圧電素子１０６の圧力変化がない場合には、Ｓ３１２へ戻る。
【００８０】
Ｓ３１５では、処理部１１５は、終話処理を行い、発信通話を終了する。
【００８１】
以上説明したように、本実施形態によれば、カードホルダ型通話装置１００は、身分証明書などを提示できるカードホルダ型の筐体であり、ストラップにより首からさげて着用できる。したがって、簡単かつ迅速に利用可能であり、通話時の利便性が高い。
また、第１圧電素子１０５及び第２圧電素子１０６は、圧電素子を利用しているので、薄くて小型であり、カードホルダ型通話装置１００を薄く構成できる。
さらに、カードホルダ型通話装置１００は、読み取り部により電話番号を読み取るので、発信操作を簡単にできる。また、カードホルダ型通話装置１００は、わずかな操作部材だけであっても、カードＣ２さえ用意すれば、多くの相手に発信を簡単に行える。
さらにまた、カードホルダ型通話装置１００は、第１圧電素子１０５及び第２圧電素子１０６をスピーカと、マイクと、操作部材として利用するので、部品点数の少ない簡単な構成によりカードホルダ型通話装置１００を実現できる。
【００８２】
以上、この発明の実施形態につき、図面を参照して詳述してきたが、具体的な構成はこの実施形態に限られるものではなく、この発明の要旨を逸脱しない範囲の設計等も含まれる。
【００８３】
（変形形態）
（１）本実施形態において、カードホルダ型通話装置１００は、カードＣ２上のバーコードを読み込むことにより電話番号を入力する例を挙げて説明した。これに限らず、例えば、カードホルダ型通話装置は、ＲＦＩＤ（Radio Frequency IDentification）を利用してカードから電話番号を読み込むようにしてもよい。また、カードホルダ型通話装置は、読み込み部を設けずに、近距離無線通信を利用して予め複数の電話番号を記憶部に記憶させておき、発信相手をその中から選択するようにしてもよい。
【００８４】
（２）本実施形態において、カードホルダ型通話装置１００は、カードＣ１とカードＣ２とを同時に挿入して保持可能である例を挙げて説明した。これに限らず、例えば、カードホルダ型通話装置は、カードを挿入可能な隙間を１つとして、差し替えて利用したり、追加で挿入したりして発信を行うようにしてもよい。
【００８５】
（３）本実施形態において、カードホルダ型通話装置１００は、隙間Ｓ１，Ｓ２にカードを挿入口Ｉ１，Ｉ２から挿入する例を挙げて説明した。これに限らず、例えば、カードホルダ型通話装置は、中間層と表面層とを開く構造として、カードを挟み込むような形態でもよい。
【００８６】
（４）本実施形態において、カードホルダ型通話装置１００を使用者の身に取り付けるために利用される取り付け対応部として、孔１３０を設けた例を挙げて説明した。これに限らず、例えば、カードホルダ型通話装置は、孔を設けずストラップが取り付け対応部としてカードホルダ型通話装置に直接取り付けられていてもよいし、クリップやゴムバンド等、他の形態の取り付け対応部であってもよい。
【００８７】
なお、実施形態及び変形形態は、適宜組み合わせて用いることもできるが、詳細な説明は省略する。
【符号の説明】
【００８８】
１００    カードホルダ型通話装置
１０１    中間層
１０２    表面層
１０２ａ，１０３ａ  窓部
１０３    裏面層
１０４    構造体
１０５    第１圧電素子
１０６    第２圧電素子
１０７    表示部
１０８    読み取り部
１０９ａ，１０９ｂ  カード押さえ部
１１０    回路部
１１１    電源部
１１２    コネクタ部
１１３    記憶部
１１４    通信部
１１５    処理部
１１５ａ  電話番号読み取り機能
１１５ｂ  電話番号記憶機能
１１５ｃ  無線通信処理機能
１１５ｄ  操作判断機能
１１６    アンプ部
１２０    ストラップ
１３０    孔（取り付け対応部）
５００    携帯電話端末
Ｃ１，Ｃ２  カード
Ｃ２ａ    バーコード
Ｉ１，Ｉ２  挿入口
Ｓ１，Ｓ２  隙間（カード保持部）
【図１】
0005732349.tif 000002
【図２】
0005732349.tif 000003
【図３】
0005732349.tif 000004
【図４】
0005732349.tif 000005
【図５】
0005732349.tif 000006
【図６】
0005732349.tif 000007
【図７】
0005732349.tif 000008
【図８】
0005732349.tif 000009